(57)【要約】【課題】自動改札装置が一つの改札通路を入場用にも出場用にも使用できる設定に設定されていることを容易に知らせる。【解決手段】一つの改札通路を入場用にも出場用にも使用できる両方向型自動改札装置において、前記本体を入場専用、出場専用又は一つの改札通路を入場用にも出場用にも使用できる設定に設定する設定手段と、一つの改札通路を入場用にも出場用にも使用できるよう設定されたときに、前記本体の入場側及び出場側に設けられている案内表示部と、改札通路の上部に設けられている案内表示部に、入場専用自動改札装置、出場専用自動改札装置、及び入場専用又は出場専用に設定されている両方向型自動改札装置における、改札通路内への進入可能を示す片方向の矢印と明確に異なる両方向の矢印を表示させる表示制御手段と、を有することを特徴としている。【選択図】図１
2007305038.tif 000002
【特許請求の範囲】
【請求項１】
一つの改札通路を入場用にも出場用にも使用できる両方向型自動改札装置において、前記本体を入場専用、出場専用又は一つの改札通路を入場用にも出場用にも使用できる設定に設定する設定手段と、一つの改札通路を入場用にも出場用にも使用できるよう設定されたときに、前記本体の入場側及び出場側に設けられている案内表示部と、改札通路の上部に設けられている案内表示部に、入場専用自動改札装置、出場専用自動改札装置、及び入場専用又は出場専用に設定されている両方向型自動改札装置における、改札通路内への進入可能を示す片方向の矢印と明確に異なる両方向の矢印を表示させる表示制御手段と、を有することを特徴とする両方向型自動改札装置。
【発明の詳細な説明】
【技術分野】
【０００１】
本発明は、自動改札装置の進入方向の表示に関する。
【背景技術】
【０００２】
従来、自動改札装置には、入場専用自動改札装置及び出場専用自動改札装置のほかに、一つの改札通路を入場用にも出場用にも使用できる両方向型自動改札装置がある。
【０００３】
これらの自動改札装置には、自動改札装置の本体の筐体の入場側及び出場側に、案内表示部（以下、「本体表示部」という。）がそれぞれ設けられていて、進入可能の場合は片方向の矢印が、また進入禁止の場合は進入禁止マークが表示され、利用者はどの自動改札装置の改札通路が進入可能なのかわかるようになっている。なお、片方向の矢印の替わりに○印を、また進入禁止マークの替わりに×印を用いる場合がある。
【０００４】
また、自動改札装置の通路の上部にも、入場側及び出場側に向けて、それぞれ案内表示部（以下、「上部表示部」という。）が設けられている場合があり、上部表示部には、進入可能の場合は片方向の矢印を、また進入禁止の場合は進入禁止マークを表示できるよう構成されている。なお、片方向の矢印の替わりに○印を、また進入禁止マークの替わりに×印を用いる場合がある。
【０００５】
両方向型自動改札装置は、一つの改札通路を入場用にも出場用にも使用できる設定（以下「両方向モード」という。）のほか、入場専用又は出場専用に設定（以下「片方向モード」という。）することができるよう構成されている。
【０００６】
なお、両方向型自動改札装置を両方向モードに設定した場合は、入場側若しくは出場側に利用者が乗車券等を投入するか、又は乗車券等の効力を有する無線通信機能を備えたＩＣカード（以下「ＩＣカード」という。）を読み取らせた場合、その利用者が改札通路を通り抜けるまで、反対側では、本体表示部に進入禁止マークが表示されるとともに、乗車券等の投入口に乗車券等を投入できなくなり、ＩＣカードの読取りを保留するよう構成されている。
【発明の開示】
【発明が解決しようとする課題】
【０００７】
しかしながら、自動改札装置において進入可能の場合に本体表示部及び上部表示部に表示される片方向の矢印は、入場専用自動改札装置、出場専用自動改札装置及び片方向モードに設定した両方向型自動改札装置と、両方向モードに設定した両方向型自動改札装置とでは区別されないため、利用者は、自分が進入しようとする改札通路に反対側から他の利用者が進入してくる可能性があるかどうか把握することができない。
【０００８】
このため、両方向モードに設定した両方向型自動改札装置においては、利用者は、反対側から他の利用者が進入してくることに気づかず、ほぼ同時に両方向から利用者が進入しようとした場合、先に乗車券等を投入又はＩＣカードを読み取らせた利用者が改札通路を通り抜けるまで、その反対側の利用者は進入できなくなることから、利用者同士のトラブルになる可能性があるという不都合があった。
【０００９】
逆に、片方向にしか進入できない改札通路であっても、利用者は、反対側付近に他の利用者がいる場合、反対側から先に進入してくるのでないかと思い、進入をためらってしまうことがあるという不都合があった。
【００１０】
そこで、本発明は、上記欠点を解決するためになされたものであって、その目的は、自分が進入しようとする改札通路が、反対側からも進入可能かどうかを、明確に利用者に案内できる自動改札装置を提供することにある。
【課題を解決するための手段】
【００１１】
本発明に係る自動改札装置は、上記目的を達成するために、両方向型自動改札装置において、その本体を入場専用、出場専用又は両方向モードに設定する設定手段と、両方向モードに設定されたときに、本体表示部と上部表示部に、入場専用自動改札装置、出場専用自動改札装置及び片方向モードに設定されている両方向型自動改札装置において改札通路内への進入可能を示す片方向の矢印と明確に異なる、両方向の矢印を表示させる表示制御手段と、を有することを特徴としている。
【発明の効果】
【００１２】
本発明に係る自動改札装置は、両方向型自動改札装置において、その本体を入場専用、出場専用又は両方向モードに設定する設定手段と、両方向モードに設定されたときに、本体表示部と上部表示部に、入場専用自動改札装置、出場専用自動改札装置及び片方向モードに設定されている両方向型自動改札装置において改札通路内への進入可能を示す片方向の矢印と明確に異なる、両方向の矢印を表示させる表示制御手段とからなるので、自分が進入しようとする改札通路が、反対側からも進入可能かどうかを、明確に利用者に知らせることができる。
【発明を実施するための最良の形態】
【００１３】
以下、本発明の実施の形態を図面に基づいて説明する。図１は、一実施の形態に係る両方向型自動改札装置の正面図であり、図２は、両方向型自動改札装置の平面図である。
【００１４】
本体１は、改札通路２を挟んで一対の筐体３ａ、３ｂから構成されていて、ここでは、一方の筐体３ａは入場用、また、他方の筐体３ｂは出場用である。
【００１５】
両筐体３ａ、３ｂとも同一構成であり、図１は、入場用の筐体３ａを入口側から見ている。以下、この入場用の筐体３ａを中心に説明する。
【００１６】
筐体３ａの入口側には、乗車券等の投入口４ａ及びＩＣカードの読み取り部５ａが設けられているとともに、上面の出口側には、利用者へ返却する乗車券等の排出口６ａが設けられている。なお、筐体３ａの上面には、利用者へ所定の内容を案内表示する表示画面が設けられているが、ここでは省略されているとともに、改札通路を通る利用者を赤外線で感知するセンサー部も省略されている。
【００１７】
図中、７ａ及び７ｂは、入場側の筐体３ａ及び出場側の筐体３ｂの入口側にそれぞれ設けられたＬＥＤからなる本体表示部であり、改札通路２への進入可能又は進入禁止を利用者へ案内できるように構成されている。
【００１８】
図中、８ａ及び８ｂは、改札通路２の上部に、入場側及び出場側に向けて、それぞれ設けられた上部表示部であり、改札通路２への進入可能又は進入禁止を利用者へ案内できるように構成されている。
【００１９】
図３は、本体表示部７ａ，７ｂ及び上部表示部８ａ，８ｂの表示制御を行うブロック図であって、これら表示部７ａ，７ｂ，８ａ，８ｂは、本体１を統括的に制御するマイクロコンピュータ（ＣＰＵ）を中心に形成される制御器９によって駆動制御されるように構成されている。
【００２０】
この制御器９には、係員によって、本体１を両方向型、入場専用又は出場専用に設定する設定器１０が設けられている。この設定器１０は、本体１内に設けることもできるが、改札口の係員室に設けられる自動改札装置の監視盤に設けられていて、遠隔的に設定できるように構成されている。
【００２１】
上記構成の本体１における入出場の制御動作は、周知の両方向型自動改札装置と同一であるので省略し、以下、本体表示部７ａ，７ｂ及び上部表示部８ａ，８ｂの制御動作について図４を用いて説明する。
【００２２】
本体１において、本体１が設定器１０を介して入場専用に設定されていて、改札通路２内に利用者が存在しない待ち状態の場合、案内表示ドライバ１１を介して、入場側の本体表示部７ａには、改札通路２に進入可能を示す片方向の矢印が、出場側の本体表示部７ｂには、改札通路２に進入禁止を示す進入禁止マークがそれぞれ表示される。また、案内表示ドライバ１１を介して、入場側の上部表示部８ａには、改札通路２に進入可能を示す片方向の矢印が、出場側の上部表示部８ｂには、改札通路２に進入禁止を示す進入禁止マークがそれぞれ表示される（図４（ａ）参照）。
【００２３】
図４（ｂ）は、本体１が設定器１０を介して出場専用に設定されたときの本体表示部７ａ，７ｂ並びに上部表示部８ａ，８ｂの表示例を示している。
【００２４】
いま、本体１において、本体１が設定器１０を介して両方向モードに設定され、改札通路２内に利用者が存在しない待ち状態の場合、入場側及び出場側の本体表示部７ａ，７ｂ並びに上部表示部８ａ，８ｂには、案内表示ドライバ１１を介して、改札通路２に両方向とも進入可能な両方向の矢印がそれぞれ表示される。したがって、利用者は、本体１が両方向型に設定されていることを容易に知ることができる（図４（ｃ）参照）。
【００２５】
また、入場側の投入口４ａに利用者が乗車券等を投入するか、読み取り部５ａでＩＣカードを読み取らせると（図４では合わせて「券投入」と表示。）、出場側の本体表示部７ｂには、案内表示ドライバ１１を介して改札通路２への進入を禁止するマークが表示される（図４（ｄ）参照）。さらに、出場側の投入口４ｂに乗車券等を投入するか、読み取り部５ｂでＩＣカードを読み取らせたときには、入場側の本体表示部７ａに進入禁止マークが案内表示ドライバ１１を介して表示される（図４（ｅ）参照）。
【００２６】
図４（ｄ）及び（ｅ）の例では、上部表示部８ａ，８ｂは、両方向の矢印を表示したままとしているが、上部表示部にも本体表示部と同様にＬＥＤを使用して、入場側又は出場側に乗車券等を投入するか、ＩＣカードを読み取らせたときに、反対側に進入禁止マークを表示させるようにしてもよい。
【００２７】
なお、本体１が両方向型に設定されていることを示すマークとしては、図５（ａ）の両方向の矢印のほか、これを横向きにした図５（ｂ）、片方向の矢印を２本並べた図５（ｃ）、これを横向きにした図５（ｄ）としてもよい。ただし、上部表示部には図５（ａ）及び（ｃ）のような縦方向の矢印が使用できる。
【００２８】
上述の例では、乗車券等及びＩＣカードの両者とも入出場処理を行うことができる構成としたが、乗車券等又はＩＣカードのどちらか一方のみの構成としてもよい。
【図面の簡単な説明】
【００２９】
【図１】この発明の両方向型自動改札装置の正面図である。
【図２】両方向型自動改札装置の平面図である。
【図３】案内表示部の表示制御を行うブロック図である。
【図４】案内表示部の表示例である。
【図５】両方向型に設定されたことを示す案内表示部の表示例である。
【符号の説明】
【００３０】
１    両方向型自動改札装置の本体
２    改札通路
３ａ  両方向型自動改札装置の入場側の筐体
３ｂ  両方向型自動改札装置の出場側の筐体
４ａ  筐体３ａの乗車券等の投入口
４ｂ  筐体３ｂの乗車券等の投入口
５ａ  筐体３ａのＩＣカードの読み取り部
５ｂ  筐体３ｂのＩＣカードの読み取り部
６ａ  筐体３ａの乗車券等の排出口
６ｂ  筐体３ｂの乗車券等の排出口
７ａ  筐体３ａの本体表示部
７ｂ  筐体３ｂの本体表示部
８ａ  入場側の上部表示部
８ｂ  出場側の上部表示部
９    両方向型自動改札装置を制御する制御器
１０    両方向型自動改札装置を設定する設定器
１１    両方向型自動改札装置の本体表示部及び上部表示部への案内表示ドライバ
【図１】
2007305038.tif 000003
【図２】
2007305038.tif 000004
【図３】
2007305038.tif 000005
【図４】
2007305038.tif 000006
【図５】
2007305038.tif 000007